(57)【要約】【課題】  ビデオカメラが撮影する動画にフリッカが生じない照明環境であることを簡易に評価できる環境評価方法、評価装置および撮影装置を提供する。【解決手段】  実施形態によれば、環境評価方法は、ビデオカメラが撮影する動画にフリッカが生じるか否かを視認によって判断する静止画を撮影するための撮影条件を動画のフレームレートに対応づけてメモリに記憶し、前記メモリが記憶する情報に基づいて特定のフレームレートの動画にフリッカが生じないことを視認可能な静止画を撮影する撮影条件を決定する。【選択図】      図１
2019169874.tif 000002
【特許請求の範囲】
【請求項１】
照明装置が光を照射する照明環境を評価する環境評価方法であって、
ビデオカメラが撮影する動画にフリッカが生じるか否かを視認によって判断する静止画を撮影するための撮影条件を動画のフレームレートに対応づけてメモリに記憶し、
前記メモリが記憶する情報に基づいて特定のフレームレートの動画にフリッカが生じないことを視認可能な静止画を撮影する撮影条件を決定する、
を有する環境評価方法。
【請求項２】
前記撮影条件は、ローリングシャッター方式のデジタルカメラが前記静止画を撮影する場合のシャッタースピードである、
請求項１に記載の環境評価方法。
【請求項３】
さらに、特定のフレームレートの動画にフリッカが生じないことを視認可能な静止画を撮影する撮影条件として決定した撮影条件を表示装置に表示する、
請求項１に記載の環境評価方法。
【請求項４】
照明装置が光を照射する照明環境を評価する評価装置において、
ビデオカメラが撮影する動画にフリッカが生じるか否かを視認によって判断する静止画を撮影するための撮影条件を動画のフレームレートに対応づけて記憶するメモリと、
前記メモリが記憶する情報に基づいて特定のフレームレートの動画にフリッカが生じないことを視認可能な静止画を撮影する撮影条件を決定するプロセッサと、
を有する評価装置。
【請求項５】
さらに、特定のフレームレートの動画にフリッカが生じないことを視認可能な静止画を撮影する撮影条件として決定した撮影条件を表示する表示部を有する、
請求項４に記載の評価装置。
【請求項６】
照明装置が光を照射する照明環境において画像を撮影する撮影装置において、
ローリングシャッター方式で静止画を撮影する撮影部と、
ビデオカメラが撮影する動画にフリッカが生じるか否かを視認によって判断する静止画を前記撮影部で撮影するための撮影条件を動画のフレームレートに対応づけて記憶するメモリと、
指定されたフレームレートに対応する撮影条件を前記メモリが記憶する情報に基づいて決定し、決定した撮影条件を設定した前記撮影部によって静止画を撮影させるプロセッサと、
を有する撮影装置。
【発明の詳細な説明】
【技術分野】
【０００１】
本発明の実施形態は、環境評価方法、評価装置および撮影装置に関する。
【背景技術】
【０００２】
夜間もしくは室内において、スポーツ競技などを行うための照明環境を提供する照明装置がある。このような照明装置による照明環境において、ハイスピードカメラが動画を撮影することがある。照明環境によっては、ハイスピードカメラが撮影する動画にはフリッカが発生することがある。ハイスピードカメラが撮影する動画にフリッカが発生するか否かは、照明装置の光源に流れる電流によって判定するか、実際にハイスピードカメラで撮影した動画で確認する必要がある。
【先行技術文献】
【特許文献】
【０００３】
【特許文献１】特開２００６−７９９９０号公報
【発明の概要】
【発明が解決しようとする課題】
【０００４】
しかしながら、施設等に照明装置を竣工した後の現場において、照明装置の光源に流れる電流を測定するのは容易ではない。また、ハイスピードカメラで実際に撮影した動画からフリッカの有無を確認する作業も非常に煩雑である。  
本発明が解決しようとする課題は、ビデオカメラが撮影する動画にフリッカが生じない照明環境であることを簡易に評価できる環境評価方法、評価装置および撮影装置を提供することである。
【課題を解決するための手段】
【０００５】
実施形態によれば、環境評価方法は、ビデオカメラが撮影する動画にフリッカが生じるか否かを視認によって判断する静止画を撮影するための撮影条件を動画のフレームレートに対応づけてメモリに記憶し、前記メモリが記憶する情報に基づいて特定のフレームレートの動画にフリッカが生じないことを視認可能な静止画を撮影する撮影条件を決定する。
【発明の効果】
【０００６】
本発明は、ビデオカメラが撮影する動画にフリッカが生じない照明環境であることを簡易に評価できる環境評価方法、評価装置および撮影装置を提供できる。
【図面の簡単な説明】
【０００７】
【図１】図１は、実施形態に係る環境評価システムの構成例を示す図である。
【図２】図２は、動画におけるフリッカの有無および静止画におけるフリッカの有無を判定するための条件を説明するための図である。
【図３】図３は、動画のフレームレートと静止画を撮影するためのシャッタースピードとを対応づけたデータテーブルの構成例を示す図である。
【図４】図４は、環境評価システムにおける照明環境の評価手順を説明するためのフローチャートである。
【図５】図５は、実施形態の変形例に係る撮影装置の構成例を示す図である。
【図６】図６は、変形例に係る撮影装置における照明環境の評価手順を説明するためのフローチャートである。
【発明を実施するための形態】
【０００８】
以下で説明する実施形態に係る環境評価方法は、ビデオカメラ（２）が撮影する動画にフリッカが生じるか否かを視認によって判断する静止画を撮影するための撮影条件を動画のフレームレートに対応づけてメモリ（１２）に記憶し、前記メモリが記憶する情報に基づいて特定のフレームレートの動画にフリッカが生じないことを視認可能な静止画を撮影する撮影条件を決定する。これにより、ビデオカメラが撮影する動画にフリッカが生じない照明環境であることを評価できる静止画をデジタルカメラで撮影するための撮影条件を容易に決定できる。
【０００９】
また、以下で説明する実施形態に係る環境評価方法は、前記撮影条件がローリングシャッター方式のデジタルカメラ（３）で前記静止画を撮影する場合のシャッタースピードである。これにより、ビデオカメラが撮影する動画にフリッカが生じない照明環境であることを評価できる静止画を撮影する撮影条件としてのシャッタースピードを容易に特定できる。
【００１０】
また、以下で説明する実施形態に係る環境評価方法は、さらに、特定のフレームレートの動画にフリッカが生じないことを視認可能な静止画を撮影する撮影条件として決定した撮影条件を表示装置（１４）に表示する。これにより、ビデオカメラが撮影する動画にフリッカが生じない照明環境であることを評価できる静止画をデジタルカメラで撮影するための撮影条件をオペレータに分かりやすく提示できる。
【００１１】
また、以下で説明する実施形態に係る評価装置（１）は、照明装置（４）が光を照射する照明環境を評価する装置であって、ビデオカメラ（２）が撮影する動画にフリッカが生じるか否かを視認によって判断する静止画を撮影するための撮影条件を動画のフレームレートに対応づけて記憶するメモリ（１２）と、前記メモリが記憶する情報に基づいて特定のフレームレートの動画にフリッカが生じないことを視認可能な静止画を撮影する撮影条件を決定するプロセッサ（１１）とを有する。これにより、ビデオカメラが撮影する動画にフリッカが生じない照明環境であることを評価できる静止画をデジタルカメラで撮影する撮影条件を容易に決定できる。
【００１２】
また、以下で説明する実施形態に係る評価装置（１）は、さらに、特定のフレームレートの動画に生じるか否かを視認によって判断する静止画を撮影する撮影条件として決定した撮影条件を表示する表示部（１４）を有する。これにより、ビデオカメラが撮影する動画にフリッカが生じない照明環境であることを評価できる静止画をデジタルカメラで撮影する撮影条件をオペレータに分かりやすく提示できる。
【００１３】
また、以下で説明する実施形態の変形例に係る撮影装置（５０）は、照明装置（４）が光を照射する照明環境において画像を撮影する装置であって、ローリングシャッター方式で静止画を撮影する撮影部（５５）と、ビデオカメラ（２）が撮影する動画にフリッカが生じるか否かを視認によって判断する静止画を前記撮影部で撮影するための撮影条件を動画のフレームレートに対応づけて記憶するメモリ（５２）と、指定されたフレームレートに対応する撮影条件を前記メモリが記憶する情報に基づいて決定し、決定した撮影条件を設定した前記撮影部によって静止画を撮影させるプロセッサ（５１）と、を有する。これにより、ビデオカメラが撮影する動画にフリッカが生じない照明環境であることを評価できる静止画を容易に撮影できる撮影装置を実現できる。
【００１４】
以下、図面を参照しながら、実施形態について詳細に説明する。  
図１は、実施形態に係る環境評価システムの構成例を示す図である。  
環境評価システムは、照明装置４による照明環境において、ハイスピードカメラなどのビデオカメラ２が撮影する動画にフリッカが生じるか否かをデジタルカメラ３が撮影する静止画で評価するためのシステムである。本実施形態において、照明環境の評価とは、ハイスピードカメラなどのビデオカメラ２が撮影する動画にフリッカが生じる照明環境であるか否かを評価することを意味するものとする。
【００１５】
また、本実施形態において、フリッカとしては、ビデオカメラ２が撮影する動画に発生するフリッカとデジタルカメラ３が撮影する静止画に発生するフリッカとがあるものとする。これらのフリッカは、照明装置４による照明環境によって生じるものとする。ビデオカメラ２が撮影する動画に発生するフリッカは、動画を構成するフレームごとの明るさが異なることで、動画の再生時に明滅（ちらつき）が見える現象である。一方、デジタルカメラ３が撮影する静止画に発生するフリッカは、静止画上に明暗の縞が生じるものである。
【００１６】
評価装置１は、ビデオカメラ２で撮影する動画にフリッカが発生するか否かを評価するための静止画をデジタルカメラ３が撮影するための条件（撮影条件）を特定する。評価装置１は、例えば、パーソナルコンピュータ、タブレット端末あるいはスマートフォンなどで実現できる。評価装置１は、プロセッサが後述する処理を実現するプログラムを実行できる情報処理装置であれば良く、例えば、デジタルカメラ３あるいはビデオカメラ２に設けられるものであっても良い。
【００１７】
図１に示す構成例において、評価装置１は、プロセッサ１１、メモリ１２、操作部１３、表示部１４およびインターフェース（Ｉ／Ｆ）１５などを有する。  
プロセッサ１１は、プログラムを実行することにより各種の処理を実行する。また、プロセッサ１１は、当該評価装置１内の各部と接続し、各部の制御を司る。メモリ１２は、ＲＡＭ、ＲＯＭ、書換え可能な不揮発性メモリなどを含む。プロセッサ１１は、メモリ１２に記憶したプログラムを実行することにより後述する各処理を実現する。
【００１８】
本実施形態において、メモリ１２は、後述する処理を実現するためのプログラムを記憶する記憶領域１２ａを有する。プロセッサ１１は、記憶領域１２ａに適宜プログラムをインスールしても良いし、記憶領域１２ａに記憶したプログラムを適宜更新しても良い。また、メモリ１２は、記憶領域１２ａに記憶したプログラムを実行する際に参照するデータを記憶するテーブル１２ｂを有する。テーブル１２ｂは、ビデオカメラ２で撮影する動画のフレームレートに対してシャッタースピードなどのデジタルカメラ３による静止画の撮影条件を対応づけたデータを記憶する。プロセッサ１１は、テーブル１２ｂを参照して記憶領域１２ａに記憶したプログラムを実行することにより、指定される動画のフレームレートに対応する撮影条件（シャッタースピード）を決定する。なお、テーブル１２ｂの構成例については、後で詳細に説明する。
【００１９】
操作部１３は、たとえば、キーボード、テンキー、タッチパネルなどにより構成する。表示部１４は、情報を表示する。操作部１３および表示部１４は、タッチパネル付きの表示装置により構成しても良い。インターフェース（Ｉ／Ｆ）１５は、外部装置と接続するためのインターフェースである。たとえば、インターフェース１５は、デジタルカメラ３あるいはビデオカメラ２と接続するインターフェースであっても良い。
【００２０】
ビデオカメラ２は、設定したフレームレートで動画を撮影するカメラである。本実施形態において、ビデオカメラ２は、照明装置４による照明環境において、スポーツ競技などを動画で撮影するカメラを想定するものとする。例えば、ビデオカメラ２は、フレームレートが６０〜３０００ｆｐｓ（ｆｒａｍｅ  ｐｅｒ  ｓｅｃｏｎｄ）程度の動画を撮影するハイスピードカメラと称されるカメラである。
【００２１】
ビデオカメラ２は、各フレームの画像信号を一括して取り込むグローバルシャッター方式のカメラを有する。グローバルシャッター方式のカメラは、動画を構成するフレームごとに全ての画素を同時に露光するため、個々のフレーム内において構造的に明暗の差が生じることが少ない。このため、ビデオカメラ２は、１つのフレーム内ではフリッカに相当するような縞が現れ難いが、フレームごとに明暗の差によって動画の再生時に明滅（ちらつき）がフリッカとして視認されることがある。
【００２２】
デジタルカメラ３は、ローリングシャッター方式で静止画を撮影するカメラである。ローリングシャッター方式のカメラは、１つの静止画（１つのフレームの画像）を形成する複数の画素を所定ブロックごとに光電変換素子で露光することにより撮像する。このため、ローリングシャッター方式のカメラは、１つの静止画を構成する個々の画素において光電変換素子を露光するタイミングに差が生じる。これが原因で、ローリングシャッター方式のカメラは、静止画上にフリッカとしての縞が生じることがある。
【００２３】
例えば、ビデオカメラ２は、オペレータ（ユーザ）の指定に応じて撮影する動画のフレームレート（ＦＲ）を６０〜３０００ｆｐｓ程度の範囲で設定する機能を有するものとする。また、デジタルカメラ３は、オペレータの指示に応じてシャッタースピード（ＳＳ）を設定する機能を有するものとする。なお、デジタルカメラ３は、評価装置１からの制御信号に従ってシャッタースピードを設定する機能を有するものであっても良い。この場合、デジタルカメラ３は、オペレータの操作を介さずに、動画のフレームレートに応じて評価装置１が決定するシャッタースピードを設定するようにして良い。
【００２４】
照明装置４は、光源および電源ユニットなどを有する。例えば、照明装置４は、競技場などの屋外に設置される投光器、あるいは、体育館などの屋内に設置される照明器具を想定する。また、照明装置４は、複数の投光器を並べて構成する大型の照明装置として競技場などに設置するものであっても良い。
【００２５】
照明装置４の光源は、１又は複数のＬＥＤ等の発光素子により構成する。光源の発光素子は、電源ユニットから供給される電力により点灯する。例えば、光源は、白色系の光を発生する発光素子を主体として構成する。また、光源は、色再現性の向上のために、赤色系の光や青緑色の光を発生する発光素子を組み合わせたものであっても良い。また、照明装置４は、光源からの光を集光し、集光した光を配光する光学系を有するものであっても良い。
【００２６】
照明装置４の電源ユニットは、光源に電力を供給することにより光源を点灯させる。電源ユニットは、商用電源などの外部電源に接続され、外部電源からの電力を光源へ供給する。電源ユニットは、交流の商用電源からの電力を光源の発光素子としてのＬＥＤに供給する電流に変換する回路（電源回路）を有する。電源ユニットの電源回路は、光源へ供給する電流を制御する制御部として機能する。例えば、電源ユニットは、出力する電流波形が直線になるように制御する波高値制御で光源を点灯させる。電源ユニットの電源回路は、スイッチング回路及び平滑回路などを含む。電源ユニットが光源へ供給する電流は、種々の周波数成分を含む。電源ユニットは、光源へ供給する電流のリップル率が後述する所定値以下となるように設計される。電源ユニットが光源としてのＬＥＤへ供給する電流の周波数およびリップル率は、光源が出力する光出力の周波数およびリップル率に相当する。
【００２７】
次に、照明装置４による照明環境とフリッカとの関係について説明する。  
一般に、照明装置の光源に流れる電流と当該照明装置による照明環境で撮影する動画におけるフリッカの有無には定量的な関係がある。例えば、照明装置４の光源に流れる電流の周波数が低いほど、当該照明装置４が照明する環境において撮影する動画にはフリッカが生じやすい傾向がある。また、照明装置４の光源に流れる電流のリップル率が高いほど、当該照明装置４が照明する環境において撮影される動画にはフリッカが生じやすい傾向もある。
【００２８】
図２は、照明装置４の光源に流れる電流のリップル率および周波数に対してフリッカが発生する条件を示す図である。  
図２では、ハイスピードカメラとしてのビデオカメラ２が撮影する動画にちらつき（フリッカ）が発生する条件とローリングシャッター方式のデジタルカメラ３が撮影する静止画に縞（フリッカ）が発生する条件とを示す。なお、図２において、ビデオカメラ２が撮影する動画は任意のあるフレームレートであり、静止画はビデオカメラ２が撮影する動画のフレームレートに対応するシャッタースピードでローリングシャッター方式のデジタルカメラ３が撮影するものであることを想定する。
【００２９】
照明装置４による照明環境において、ビデオカメラ２が撮影する動画のフリッカには、照明装置４の光源に流れる電流のリップル率Ｒと周波数ｆとが影響する。例えば、ビデオカメラ２が撮影する動画に発生するフリッカについては、以下の点が確認されている。
（１）撮影する動画のフレームレートが小さいほど、フリッカは起きにくい。
（２）光源に流れる電流の周波数が大きいほど、フリッカは起きにくい。
（３）光源に流れる電流の振幅（リップル率）が小さいほど、フリッカは起きにくい。
【００３０】
これらにより、ビデオカメラ２が撮影する動画については、図３に示すように、任意のあるフレームレート（ＦＲ）に対して定数ａ、ｂを用いた以下の式（１）のような一次式によってフリッカの有無が判定できるものとされる。  
Ｒ＝ａｆ＋ｂ・・・（１）
図２に示す例によれば、フレームレート（ＦＲ）の動画には、リップル率Ｒと周波数ｆとが式（１）が示す境界線（動画のフリッカの境界線）に対して、下側になる場合にはフリッカが生じず、上側になる場合にはフリッカが生じると判定できる。
【００３１】
これに対して、ローリングシャッター方式のデジタルカメラ３は、撮像する１つの静止画においてブロックごとの画素を所定のレートで取得する。このため、ローリングシャッター方式のデジタルカメラ３が撮影する静止画のフリッカ（縞）の発生についても、照明装置４の光源に流れる電流のリップル率Ｒと周波数ｆとが影響する。また、デジタルカメラ３は、設定されるシャッタースピード（ＳＳ）に応じて静止画を撮像する時間を制御する。従って、ローリングシャッター方式のデジタルカメラ３が撮影する静止画に発生するフリッカは、フレームレートでなく、シャッタースピードが影響するものと考えられる。
【００３２】
ローリングシャッター方式のデジタルカメラ３が撮影する静止画のフリッカも、動画と同様に、任意のあるシャッタースピード（ＳＳ）に対して定数ｃ、ｄを用いて以下の式（２）のような一次式を用いてフリッカの有無が判定できるものとされる。  
Ｒ＝ｃｆ＋ｄ・・・（２）
図２に示す例によれば、フレームレート（ＦＲ）に対応するシャッタースピード（ＳＳ）の静止画には、リップル率Ｒと周波数ｆとが、式（２）の境界線（静止画のフリッカの境界線）に対して、下側になる場合にはフリッカが生じず、上側になる場合にはフリッカが生じると判定できる。
【００３３】
上述したように、動画に発生するフリッカ（ちらつき）が式（１）で判定され、静止画に発生するフリッカ（縞）が式（２）で判定されるものとする。すると、式（２）が式（１）よりも右側の領域（動画にフリッカが発生しない領域）にある場合、当該式（２）に対応するシャッタースピードで撮影した静止画にフリッカがなければ、当該式（１）に対応するフレームレートで撮影する動画にはフリッカが生じないこととなる。言換えると、式（２）が式（１）よりも右側の領域となるようなシャッタースピードでデジタルカメラ３が撮影した静止画は、式（１）を満たすフレームレートの動画にフリッカが生じるか否かを評価（フリッカが生じないことを確認）できる画像となる。
【００３４】
評価装置１は、静止画のフリッカの境界線（たとえば、式（２））が動画のフリッカの境界線（たとえば、式（１））が示すフリッカ無しの領域となるように、ビデオカメラ２で撮影可能な動画のフレームレートごとにデジタルカメラ３のシャッタースピードを対応づけたデータをテーブル１２ｂに記憶しておく。すなわち、テーブル１２ｂには、静止画のフリッカの境界線が動画のフリッカの境界線が示す動画のフリッカ無しの領域となるような動画のフレームレートと静止画のシャッタースピードとを対応づけた情報が記憶されるものとする。ここで、静止画のフリッカの境界線（式（２））は、動画のフリッカ無しの領域にあることを条件として動画のフリッカの境界線（式（１））に近いものが設定される。
【００３５】
また、ローリングシャッター方式のデジタルカメラ３は、機種ごとに静止画（１つのフレームの画像）を構成する各画素を取込むタイミングが異なることが考えられる。このため、静止画を撮影するデジタルカメラとして使用可能な機種が複数種類ある場合、テーブル１２ｂには、デジタルカメラ３として使用可能な機種ごとに動画のフレームレートに対応づけたシャッタースピードを記憶するものとしても良い。
【００３６】
図３は、動画のフレームレートと静止画のシャッタースピードとを対応づけたデータを記憶するテーブル１２ｂの構成例を示す図である。  
図３に示す構成例において、テーブル１２ｂには、ビデオカメラ２が撮影する動画のフレームレートに対応づけて、カメラ（ローリングシャッター方式のデジタルカメラ）の機種ごとにシャッタースピードを記憶している。また、図３に示す例では、複数種類の機種ごとにデジタルカメラのシャッタースピードとビデオカメラ２が撮影する動画のフレームレートとを対応づけて記憶している。このようなテーブル１２ｂを参照すれば、特定のフレームレートの動画におけるフリッカの有無を評価する静止画を撮影するための撮影条件として、デジタルカメラ３のシャッタースピードを決定できる。
【００３７】
次に、実施形態に係る評価システムにおける照明環境の評価方法について説明する。  
図４は、実施形態に係る環境評価システムにおける照明環境の評価手順を説明するためのフローチャートである。  
まず、評価装置１のプロセッサ１１は、記憶領域５２ａに記憶した照明環境の評価処理を実行するためのプログラムを起動する。プログラムが起動すると、プロセッサ５１は、動画にフリッカが生じないことを確認するための静止画を撮影するデジタルカメラ（機種）を設定する（ＳＴ１０）。
【００３８】
ここで、動画のフリッカを評価するための静止画を撮影するデジタルカメラは、ビデオカメラ２で撮影する動画のフレームレートに対応するシャッタースピードがテーブル１２ｂに記憶されているローリングシャッター方式のカメラであれば良い。フリッカ評価用の静止画を撮影するデジタルカメラは、特定の機種に設定されているものであっても良いし、オペレータ（評価者）が使用可能な機種から指定するものであっても良い。
【００３９】
静止画を撮影するデジタルカメラを設定すると、プロセッサ１１は、静止画によってフリッカが生じるか否かが評価される動画のフレームレートを設定する（ＳＴ１１）。例えば、評価対象とする動画のフレームレートは、オペレータが操作部１３を用いて指定する。プロセッサ１１は、テーブル１２ｂに基づいて選択可能な動画のフレームレートを表示部１４に表示してオペレータに評価対象とする動画のフレームレートの指定を促すようにしても良い。この場合、プロセッサ１１は、操作部１３によって指定された動画のフレームレートを設定する。
【００４０】
動画のフレームレートを設定すると、プロセッサ１１は、設定したフレームレートに対応する静止画の撮影条件としてのシャッタースピードを決定する（ＳＴ１２）。プロセッサ１１は、テーブル１２ｂを参照して、設定した動画のフレームレートに対応する当該デジタルカメラ３のシャッタースピードを特定する。シャッタースピードを決定すると、プロセッサ１１は、決定したシャッタースピードを表示部１４に表示する（ＳＴ１３）。オペレータは、表示部１４に表示されたシャッタースピードを確認し、デジタルカメラ３を表示部１４に表示されたシャッタースピードに設定する。
【００４１】
デジタルカメラ３を表示部１４に表示されたシャッタースピードに設定した後、オペレータは、当該デジタルカメラ３の撮影位置を照明装置４の照明環境として静止画の撮影を指示する。これにより、フレームレートに対応するシャッタースピードが設定されたデジタルカメラ３は、オペレータの指示に応じて設定されたシャッタースピードで静止画を撮影する（ＳＴ１４）。
【００４２】
デジタルカメラ３は、撮影した静止画を評価装置１へ出力する。評価装置１は、Ｉ／Ｆ１５を介してデジタルカメラ３から撮影した静止画を取得し、当該静止画を表示部１４に表示する（ＳＴ１５）。なお、デジタルカメラ３は、撮影した静止画を当該デジタルカメラ３に設けた表示器に表示しても良い。また、デジタルカメラ３が撮影した静止画は、プリンタにより用紙に印刷するようにしても良い。
【００４３】
これにより、オペレータは、フレームレートに対応するシャッタースピードでデジタルカメラ３が撮影した静止画の表示または印刷に基づいてフリッカ（縞）の有無を確認できる。静止画にフリッカ（縞）がなけば、指定したフレームレートで撮影する動画にフリッカ（ちらつき）が生じない照明環境であると評価できる。また、静止画にフリッカがある場合、指定したフレームレートで撮影する動画にフリッカ（ちらつき）が生じる可能性がある照明環境であると評価できる。
【００４４】
なお、評価装置１のプロセッサ１１は、Ｉ／Ｆ１５を介して接続するデジタルカメラ３を制御するようにしても良い。この場合、評価装置１のプロセッサ１１は、デジタルカメラ３と連携して上記ＳＴ１１−１５の処理を実行するようにして良い。すなわち、プロセッサ１１は、ＳＴ１１において、評価対象とする動画のフレームレートに応じて決定するシャッタースピードをデジタルカメラ３に設定する。シャッタースピードを設定した後、プロセッサ１１は、ＳＴ１２としてデジタルカメラ３に静止画の撮影を指示する。デジタルカメラ３が静止画を撮影すると、プロセッサ１１は、ＳＴ１３の処理として、Ｉ／Ｆ１５を介して撮影した静止画を取得し、取得した静止画を表示部１４に表示する。
【００４５】
上記のように、実施形態に係る環境評価システムでは、照明装置による照明環境において撮影する動画にフリッカが生じるかを判定するため、ローリングシャッター方式のデジタルカメラが評価対象とする動画のフレームレートに対応するシャッタースピードで静止画を撮影する。当該デジタルカメラで撮影した静止画にフリッカに相当する縞が発生しなかった場合は、当該フレームレートで撮影する動画にもフリッカが発生しない照明環境であると評価できる。また、当該デジタルカメラで撮影した静止画にフリッカに相当する縞が発生した場合、当該フレームレートで撮影する動画にもフリッカが発生する可能性がある照明環境であると評価できる。
【００４６】
以上のように、実施形態に係る環境評価システムによれば、ハイスピードカメラなどのビデオカメラが撮影する動画にフリッカが生じない照明環境であるか否をローリングシャッター方式のデジタルカメラで撮影する静止画から間接的に評価することが可能となる。すなわち、実施形態に係る評価システムは、ハイスピードカメラなどのビデオカメラで実際に動画を撮影することなく、動画にフリッカが生じない環境であることを確認できる照明環境の評価方法を提供する。
【００４７】
（変形例）
次に、上述した実施形態の変形例について説明する。  
上述の実施形態では、図１に示すように、デジタルカメラ３およびビデオカメラ２とは別に評価装置１を設ける構成について説明したが、上述した評価装置１と同等の機能は、デジタルカメラ３またはビデオカメラ２に設けるようにしても良い。ここでは、変形例として、静止画を撮影するカメラを具備する撮影装置が上述した評価装置による処理機能を有する形態について説明するものとする。
【００４８】
図５は、実施形態の変形例に係る撮影装置５０の構成例を示す図である。  
本実施形態の変形例に係る撮影装置５０は、ローリングシャッター方式で静止画を撮影する撮像ユニット（カメラ）を具備する情報処理装置である。例えば、撮影装置５０は、メモリに記憶したプログラムを実行する情報処理機能を有するデジタルカメラである。また、撮影装置５０は、カメラ付きのスマートフォン（携帯電話機）、カメラ付きのタブレット端末、カメラ付きのノートパソコンなどで実現しても良い。
【００４９】
図５に示す構成例において、撮影装置５０は、プロセッサ５１、メモリ５２、操作部５３、表示部５４および撮影部５５などを有する。図５に示す撮影装置５０は、図１に示す評価装置１にデジタルカメラ３を設けた構成であるとしても良い。また、撮影装置５０は、外部装置と通信するためのインターフェース（Ｉ／Ｆ）などを有するものであっても良い。  
プロセッサ５１は、プログラムを実行することにより各種の処理を実行する。また、プロセッサ５１は、当該撮影装置５０内の各部と接続し、各部の制御を司る。
【００５０】
メモリ５２は、ＲＡＭ、ＲＯＭ、書換え可能な不揮発性メモリなどを含む。プロセッサ５１は、メモリ５２に記憶したプログラムを実行することにより各種の処理を実現する。たとえば、メモリ５２は、後述する処理を実現するためのプログラムを記憶する記憶領域５２ａを有する。プロセッサ５１は、記憶領域５２ａに適宜プログラムをインスールしても良いし、記憶領域５２ａに記憶したプログラムを適宜更新しても良い。
【００５１】
また、メモリ５２は、動画のフレームレートと撮影部５５のシャッタースピード（撮影条件）とを対応づけたデータを記憶するテーブル５２ｂを有する。たとえば、プロセッサ５１は、テーブル５２ｂを参照して記憶領域５２ａに記憶したプログラムを実行することにより、指定される動画のフレームレートに対応する撮影条件としてのシャッタースピードを設定する。なお、テーブル５２ｂの構成は、上述した図３に示すテーブル１２ｂと同様な構成であっても良い。
【００５２】
操作部５３は、オペレータが情報を入力するものである。たとえば、操作部５３は、タッチパネルおよびハードキーなどで構成する。表示部５４は、各種の情報を表示する。操作部５３および表示部５４は、タッチパネル付きの表示装置により構成しても良い。  
撮影部５５は、ローシングシャッタ方式で静止画を撮影する撮影ユニット（カメラ）である。撮影部５５は、光電変換素子を含む光電変換部、光学系および駆動回路などを有する。撮影部５５は、特定の撮影範囲に対して所定のブロックごとに順に光電変換素子を露光することにより１つの静止画を撮影する。撮影部５５は、プロセッサ５１によってシャッタースピードが設定可能である。
【００５３】
次に、実施形態の変形例に係る撮影装置５０による照明環境の評価方法について説明する。  
図６は、実施形態に係る撮影装置５０における照明環境の評価処理を説明するためのフローチャートである。  
まず、撮影装置５０のプロセッサ５１は、照明環境の評価処理を実行するための記憶領域５２ａが記憶するプログラムを起動させる。プログラムが起動すると、プロセッサ５１は、フリッカが生じるか否かを評価する動画のフレームレートを設定する（ＳＴ１２）。たとえば、オペレータは、操作部５３を用いて評価対象とする動画のフレームレートを指定する。プロセッサ５１は、選択可能な動画のフレームレートを表示部５４に表示してオペレータにフレームレートの指定を促すようにしても良い。この場合、プロセッサ５１は、操作部５３によって指定されたフレームレートを設定する。
【００５４】
動画のフレームレートを設定すると、プロセッサ５１は、設定したフレームレートに対応する撮影条件としてのシャッタースピードを決定する（ＳＴ５３）。プロセッサ１１は、テーブル５２ｂを参照して、設定した動画のフレームレートに対応する撮影部５５のシャッタースピードを特定する。シャッタースピードを決定すると、プロセッサ５１は、決定したシャッタースピードを撮影部５５に設定する（ＳＴ５４）。
【００５５】
シャッタースピードを設定した後、プロセッサ５１は、オペレータの指示に応じて撮影部５５により設定されたシャッタースピードで静止画を撮影する（ＳＴ５５）。撮影部５５により静止画を撮影すると、プロセッサ５１は、撮影した静止画を表示部５４に表示する（ＳＴ５６）。また、プロセッサ５１は、外部装置の表示器に表示しても良いし、プリンタなどにより用紙に印刷するようにしても良い。
【００５６】
これにより、オペレータは、表示部５４に表示された静止画を視認してフリッカ（縞）の有無を確認する。オペレータは、表示部５４に表示された静止画をフリッカ（縞）が無ければ、設定したフレームレートの動画にフリッカ（ちらつき）が生じないと照明環境であると評価する。オペレータは、表示部５４に表示された静止画をフリッカ（縞）がある場合、設定したフレームレートの動画にフリッカ（ちらつき）が生じる可能性がある照明環境であると評価する。
【００５７】
上記のように、変形例に係る撮影装置は、ハイスピードカメラなどのビデオカメラが撮影する動画にフリッカが生じるか否かを判定するため、指定される動画のフレームレートに応じた撮影部による静止画の撮影条件を決定する。撮影装置は、評価対象とする照明環境において、指定のフレームレートに応じた撮影条件に設定した撮影部で静止画を撮影する。また、撮影装置は、指定のフレームレートに応じた撮影条件で撮影部が撮影した静止画を表示部に表示したり撮影した静止画をプリンタに送信したりする。
【００５８】
これにより、変形例に係る撮影装置によれば、特定のフレームレートで撮影する動画にフリッカが発生するか否かを静止画に基づいて間接的に評価できる。この結果として、評価対象とするフレームレートを指定するだけで、当該フレームレートの動画にフリッカが生じない照明環境であることが確認可能な静止画を撮影する撮影装置を提供できる。
【００５９】
また、変形例の撮影装置は、デジタルカメラに限らず、カメラ付きのスマートフォンあるいはタブレット端末で実現できる。これにより、カメラ付きのスマートフォンあるいはタブレット端末に上述した処理を実現するプログラムおよびテーブルをインストールすれば、変形例で説明した照明環境の評価を簡易に実現することができる。
【００６０】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６１】
１…評価装置、２…ビデオカメラ、３…デジタルカメラ、４…照明装置、１１、５１…プロセッサ、１２、５２…メモリ、１２ａ、５２ａ…記憶領域、１２ｂ、５２ｂ…テーブル、１３、５３…操作部、１４、５４…表示部（表示装置）、１５…インターフェース（Ｉ／Ｆ）、５０…撮影装置、５５…撮影部。
【図１】
2019169874.tif 000003
【図２】
2019169874.tif 000004
【図３】
2019169874.tif 000005
【図４】
2019169874.tif 000006
【図５】
2019169874.tif 000007
【図６】
2019169874.tif 000008